(57)【要約】【課題】  力の弱い者でも、連結部を介して嵌め殺しバンドに連結されているキャップ本体を回してその連結部を楽に破断することができるようにする。【解決手段】  ボトル口ａに装着されるキャップ１が、嵌め殺しバンド２と、嵌め殺しバンド２に破断可能な連結部３を介し連結されてその連結部３を破断することによってボトル口ａから取外し可能とされるキャップ本体４とでなる。手の指先を引掛けることのできる長さの突起５をキャップ本体４から突き出させる。突起５は、板片であっても紡錘形の突出部であってもよい。【選択図】        図１
0003125116.tif 000002
【実用新案登録請求の範囲】
【請求項１】
ボトル口に離脱しないように装着された嵌め殺しバンドと、この嵌め殺しバンドに破断可能な連結部を介し連結されてその連結部を破断することによって上記ボトル口から取外し可能とされるキャップ本体とでなり、
上記キャップ本体を回して上記連結部を破断させる操作を行うときにそのキャップ本体を回しやすくするための突起がそのキャップ本体から突き出ていて、その突起のキャップ本体からの出幅が手の指先を引掛けることのできる長さを有していることを特徴とするボトルキャップ。
【請求項２】
上記突起が、キャップ本体の頂面中央部を横切りかつそのキャップ本体の外周面の側方及びその頂面の上方に突き出た上拡がり形状の板片によって形成されていて、上記頂面からのその板片の上方への出幅が、その板片を指先で掴んで回すことのできる長さを有している請求項１に記載したボトルキャップ。
【請求項３】
上記突起が、キャップ本体の外周面の複数箇所に設けられて、そのキャップ本体の径方向外向きに突き出た板片又は紡錘形の突出部でなる請求項１に記載したボトルキャップ。
【考案の詳細な説明】
【技術分野】
【０００１】
本考案は、飲用水や飲料水、お茶、その他の各種液体飲料を入れたボトルのボトル口に装着されるボトルキャップに関し、特に、タンパーエピデントバンドと呼ばれる嵌め殺しバンドにボトル口を塞ぐキャップ本体が連結されているボトルキャップに関する。
【背景技術】
【０００２】
タンパーエピデントバンドとしての嵌め殺しバンド自体は従来より公知である（たとえば、特許文献１参照）。
【０００３】
図５には嵌め殺しバンドを備えた従来のボトルキャップ１が装着されたボトルＡを例示している。ボトルＡにはプラスチック容器のほか、ガラス容器や板金製の缶などが含まれる。ボトルキャップ１は樹脂成形体でなり、ボトルＡのボトル口ａに離脱しないように装着された嵌め殺しバンド２と、この嵌め殺しバンド２に破断可能な連結部３を介し連結されたキャップ本体４とを備えていて、キャップ本体４を回して連結部３を破断すると、そのキャップ本体４だけをボトル口ａから取り外すことができ、キャップ本体４が取り外されたボトル口ａには嵌め殺しバンド２がそのまま残るようになっている。また、連結部３には、嵌め殺しバンド２とキャップ本体４とを周方向複数箇所でつなぐブリッジ構造などの採用されていることが多い。
【０００４】
このように、嵌め殺しバンド２にキャップ本体４を破断可能な連結部３を介して連結した構造のキャップ１をボトルＡに用いると、キャップ１の連結部３が破断されているか否かを目視により観察し、破断されていれば、そのことによってボトル口ａが開封されたものとして認識することができるために、店頭での液体飲料の販売などに際してボトル内容物の安全性を確保する上で有益であるとされている。
【０００５】
このようなボトルキャップ１において、連結部３には、キャップ本体４を手で強く掴んで比較的大きな力で回すことよってはじめて破断される程度の耐破断強度が付与されている。
【０００６】
ところが、連結部３の耐破断強度を上記程度に大きくしておくと、力の弱い子供や老人などにとっては、キャップ本体４をボトル口ａから取り外しにくいという不便がある。
【０００７】
この点を少しでも解消し得る対策として、従来より、図５（Ａ）（Ｂ）のようにキャップ本体４の外周面に凹凸条４１を付加することによってキャップ本体４を掴んだ手を滑りにくくする対策が講じられているけれども、その凹凸条４１は単なる滑り止めとしての役目を果たすに過ぎず、キャップ本体４を掴む力の弱い者にとっては、そのキャップ本体４を回して連結部３を破断する助けにならないことが多い。
【０００８】
また、従来よりキャップ本体４に装着してそのキャップ本体４を小さい力で回せるようにするための廻し具も提案されている（たとえば、特許文献２参照）。しかし、この特許文献２によって提案されているものは、キャップ本体に嵌着される嵌着孔部に指掛部や手首廻し部を一体に成形したものであり、嵌着孔部の直径サイズに合うボトルキャップに対してだけ使用可能であって、サイズの異なるボトルキャップについては使用することができないという汎用性についての不便がある。
【０００９】
【特許文献１】特開２００３−２６７４１１号公報
【特許文献２】特開２０００−３０９３９５号公報
【考案の開示】
【考案が解決しようとする課題】
【００１０】
本考案は以上の状況の下でなされたものであり、ボトルキャップのキャップ本体自体に一定の対策を講じることによって、力の弱い者でも、連結部を介して嵌め殺しバンドに連結されているキャップ本体を回してその連結部を楽に破断することのできるボトルキャップを提供することを目的とする。
【課題を解決するための手段】
【００１１】
本考案に係るボトルキャップは、上記ボトル口に離脱しないように装着された嵌め殺しバンドと、この嵌め殺しバンドに破断可能な連結部を介し連結されてその連結部を破断することによって上記ボトル口から取外し可能とされるキャップ本体とでなる。そして、上記キャップ本体を回して上記連結部を破断させる操作を行うときにそのキャップ本体を回しやすくするための突起がそのキャップ本体から突き出ていて、その突起のキャップ本体からの出幅が手の指先を引掛けることのできる長さを有している。
【００１２】
この構成であると、突起に手の指先を引掛けてキャップ本体に大きな力を付加することができるようになるので、力の弱い者にとってもキャップ本体を回して連結部を破断する操作を楽に行うことができるようになる。また、上記突起がキャップ本体から突き出ているために、上掲の特許文献２に見られる廻し具のように、様々なサイズのキャップに対する汎用性に掛けるという問題を生じる余地がない。
【００１３】
本考案では、上記突起が、キャップ本体の頂面中央部を横切りかつそのキャップ本体の外周面の側方及びその頂面の上方に突き出た上拡がり形状の板片によって形成されていて、上記頂面からのその板片の上方への出幅が、その板片を指先で掴んで回すことのできる長さを有している、というものであっても、キャップ本体の外周面の複数箇所に設けられて、そのキャップ本体の径方向外向きに突き出た板片又は紡錘形の突出部でなる、というものであってもよい。このうち、後者のものは、ボトルキキャップを装着したボトルを段積み上に積み重ねても、突起がじゃまにならないという利点がある。
【考案の効果】
【００１４】
以上のように、本考案に係るボトルキャップによると、力の弱い者でも、連結部を介して嵌め殺しバンドに連結されているキャップ本体を回してその連結部を楽に破断することが可能になる。そのため、力の弱い子供や老人であっても、ボトル口部からキャップ本体を楽に取り外すことができるようになる。
【考案を実施するための最良の形態】
【００１５】
図１（Ａ）は本考案の実施形態に係るボトルキャップの要部の平面図、同（Ｂ）は同ボトルキャップ１の使用状態を示した側面図である。この事例のボトルキャップ１において、嵌め殺しバンド２に連結部３を介してキャップ本体４が連結されている点、キャップ本体４の外周面に凹凸条４１が設けられている点は、図５を参照して説明したボトルキャップ１と同様である。したがって、同一部分に同一番号を付してある。
【００１６】
この実施形態において、図５を参照して説明したボトルキャップ１と相違する点は、突起５をキャップ本体４から突き出させることによって、その突起５に手の指先を引掛けたりその突起５を手の指先で掴んだりしてキャップ本体４を回しやすくする対策を講じ、そうすることによって連結部３を破断しやすくしてある点である。
【００１７】
特に、図１（Ｂ）に示したボトルキャップ１では、突起５が、キャップ本体４の頂面４２の中央部を横切りかつそのキャップ本体４の外周面の側方及びその頂面の上方に突き出た上拡がり形状の板片５１によって形成されていて、キャップ本体４の頂面４２からのその板片の上方への出幅Ｈを１５ｍｍ程度に定めてあり、また、その板片の頂部幅Ｗを４０ｍｍ程度に定め、さらにキャップ本体４の頂面４１の直径を３０ｍｍ程度に定めてある。突起５を形成してい板片５１のキャップ本体４の頂面４２からの出幅Ｈやその頂部幅Ｗを上記程度に定めておくと、その板片５１を指先で楽に掴んだりその板片５１に指先を引掛けたりすることが可能であり、しかも、その板片５１を指先で掴んだり引掛けたりして回すことによって連結部３を楽に破断することが可能であることが判っている。なお、板片５１の厚さは３ｍｍ程度に定めてある。
【００１８】
図２（Ａ）は本考案の他の実施形態に係るボトルキャップの要部の平面図、同（Ｂ）は同ボトルキャップ１の使用状態を示した側面図である。この事例のボトルキャップ１においても、嵌め殺しバンド２に連結部３を介してキャップ本体４が連結されている点、キャップ本体４の外周面に凹凸条４１が設けられている点は、図５を参照して説明したボトルキャップ１と同様である。したがって、同一部分に同一番号を付してある。
【００１９】
この実施形態において、図５を参照して説明したボトルキャップ１と相違する点は、突起５をキャップ本体４の外周面の複数箇所、具体的には等角度おきの２箇所に設けて、それらの突起５をキャップ本体４の径方向外向きに突き出た板片５２によって形成してある点である。これによっても、突起５に手の指先を引掛けたりその突起５を手の指先で掴んだりすることによってキャップ本体４を回しやすくなり、その結果、連結部３を破断しやすくなる。
【００２０】
特に、図２に示したボトルキャップ１では、突起５を形成している板片５２が側面視半円形状に形成されていて、その板片５２のキャップ本体４の外周面からの出幅を７ｍｍ程度に定めることによって、その板片５２の側面視高さをキャップ本体４の高さと略同等に定めてある。なお、キャップ本体４の高さは１５ｍｍ程度に定めてある。
【００２１】
この事例によると、キャップ本体４を手の指で掴んで回すと、その指が板片５２に自然に引掛かるために、キャップ本体４を楽に回すことができて連結部３が容易に破断されるということが判っている。なお、板片５１の厚さは１ｍｍ程度に定め、キャップ本体４の頂面４１の直径を３０ｍｍ程度に定めてある。
【００２２】
図３（Ａ）は本考案のさらに他の実施形態に係るボトルキャップの要部の平面図、同（Ｂ）は同ボトルキャップ１の使用状態を示した側面図である。この事例のボトルキャップ１においても、嵌め殺しバンド２に連結部３を介してキャップ本体４が連結されている点、キャップ本体４の外周面に凹凸条４１が設けられている点は、図５を参照して説明したボトルキャップ１と同様である。したがって、同一部分に同一番号を付してある。
【００２３】
この実施形態において、図５を参照して説明したボトルキャップ１と相違する点は、突起５をキャップ本体４の外周面の複数箇所、具体的には等角度おきの３箇所に設けて、それらの突起５をキャップ本体４の径方向外向きに突き出た紡錘形の突出部５３によって形成してある点である。これによっても、突起５に手の指先を引掛けたりその突起５を手の指先で掴んだりすることによってキャップ本体４を回しやすくなり、その結果、連結部３を破断しやすくなる。
【００２４】
特に、図３に示したボトルキャップ１では、突起５を形成している突出部５３が紡錘形に形成されていて、その突出部５３のキャップ本体４の外周面からの出幅を４ｍｍ程度に定めてあり、しかも、その突出部５３をキャップ本体４の高さ方向の略中央部に位置させてある。なお、キャップ本体４の高さは１５ｍｍ程度に定め、突出部５３の太さは４ｍｍ程度、キャップ本体４の頂面４１の直径を３０ｍｍ程度に定めてある。
【００２５】
この事例によっても、キャップ本体４を手の指で掴んで回すと、その指が突出部５３に自然に引掛かるために、キャップ本体４を楽に回すことができて連結部３が容易に破断されるということが判っている。
【００２６】
図４（Ａ）は本考案のさらに他の実施形態に係るボトルキャップの要部の平面図、同（Ｂ）は同ボトルキャップ１の使用状態を示した側面図である。この事例のボトルキャップ１においても、嵌め殺しバンド２に連結部３を介してキャップ本体４が連結されている点、キャップ本体４の外周面に凹凸条４１が設けられている点は、図５を参照して説明したボトルキャップ１と同様である。したがって、同一部分に同一番号を付してある。
【００２７】
この実施形態において、図５を参照して説明したボトルキャップ１と相違する点は、突起５をキャップ本体４の外周面の複数箇所、具体的には等角度おきの３箇所に設けて、それらの突起５をキャップ本体４の径方向外向きに突き出た平面視半円形の板片５４によって形成してある点である。これによっても、突起５に手の指先を引掛けたりその突起５を手の指先で掴んだりすることによってキャップ本体４を回しやすくなり、その結果、連結部３を破断しやすくなる。
【００２８】
特に、図４に示したボトルキャップ１では、突起５を形成している板片５４が平面視半円形に形成されていて、その板片５４のキャップ本体４の外周面からの出幅を５ｍｍ程度に定めてあり、しかも、その板片５４をキャップ本体４の最上部に位置させてある。なお、キャップ本体４の高さは１５ｍｍ程度に定め、キャップ本体４の頂面４１の直径を３０ｍｍ程度に定めてある。
【００２９】
この事例によっても、キャップ本体４を手の指で掴んで回すと、その指が板片５４に自然に引掛かるために、キャップ本体４を楽に回すことができて連結部３が容易に破断されるということが判っている。
【図面の簡単な説明】
【００３０】
【図１】（Ａ）は本考案の実施形態に係るボトルキャップの要部の平面図、同（Ｂ）は同ボトルキャップの使用状態を示した側面図である。
【図２】（Ａ）は本考案の他の実施形態に係るボトルキャップの要部の平面図、同（Ｂ）は同ボトルキャップの使用状態を示した側面図である。
【図３】（Ａ）は本考案のさらに他の実施形態に係るボトルキャップの要部の平面図、同（Ｂ）は同ボトルキャップの使用状態を示した側面図である。
【図４】（Ａ）は本考案のさらに他の実施形態に係るボトルキャップの要部の平面図、同（Ｂ）は同ボトルキャップの使用状態を示した側面図である。
【図５】（Ａ）は従来のボトルキャップの要部の平面図、同（Ｂ）は同ボトルキャップの使用状態を示した側面図である。
【符号の説明】
【００３１】
ａ  ボトル口
１  ボトルキャップ
２  嵌め殺しバンド
３  連結部
４  キャップ本体
５  突起
５１，５２，５４  板片
５３  突出部
【図１】
0003125116.tif 000003
【図２】
0003125116.tif 000004
【図３】
0003125116.tif 000005
【図４】
0003125116.tif 000006
【図５】
0003125116.tif 000007